(57)【要約】【課題】  第一日車及び第二日車を駆動する駆動機構をコンパクトに構成したカレンダ機構付き時計を提供する。【解決手段】  カレンダ機構付き時計は、駆動機構と、時刻表示車と、日付のうちの一の位を表示する第一日車５１２と、日付のうちの十の位を表示する第二日車５２２と、駆動機構の作動に基づいて、第一日車５１２および第二日車５２２を、それぞれ間欠的に回転させることができるプログラム車５４０とを備える。時刻表示車３２４、３２８が回転可能な状態で、時刻表示車の回転中心軸線は、プログラム車５４０の中心穴の中に位置するように構成される。互いに隣接して位置決めされた、第一日車の第一日文字のうちの１つと、第二日車の第二日文字のうちの１つとによって、文字板１０４の窓から日に関する情報を表示することができる。【選択図】      図１
2006177784.tif 000002
【特許請求の範囲】
【請求項１】
２つの日車を含むカレンダ機構付き時計において、
カレンダ機構付き時計を駆動するための駆動機構と、
前記駆動機構の作動により回転して時刻情報を表示する時刻表示車（３２４、３２８）と、
日付のうちの一の位を表示する第一日車（５１２）と、
日付のうちの十の位を表示する第二日車（５２２）と、
前記駆動機構の作動に基づいて、前記第一日車（５１２）および前記第二日車（５２２）を、それぞれ間欠的に回転させることができるように構成されたプログラム歯車（５４０）とを備え、
前記時刻表示車（３２４、３２８）が回転可能な状態で、前記時刻表示車（３２４、３２８）の回転中心軸線は、前記プログラム歯車（５４０）の中心穴の内側に位置するように構成され、
互いに隣接して位置決めされた、前記第一日車（５１２）に設けられた第一日文字のうちの１つと、前記第二日車（５２２）に設けられた第二日文字のうちの１つとによって、日に関する情報を表示することができるように構成される、
ことを特徴とするカレンダ機構付き時計。
【請求項２】
請求項１に記載のカレンダ機構付き時計において、前記プログラム歯車（５４０）の回転中心軸線は、前記時刻表示車（３２４、３２８）の回転中心軸線と一致するように構成されることを特徴とするカレンダ機構付き時計。
【請求項３】
請求項１又は２に記載のカレンダ機構付き時計において、前記プログラム歯車（５４０）は、前記駆動機構の作動に基づいて回転するように構成されたプログラム日車（５４２）と、前記プログラム日車（５４２）と一体に回転することができ、かつ前記第一日車（５１２）を間欠的に回転させることができるように構成された第一プログラム歯車（５４４）と、前記プログラム日車（５４２）と一体に回転することができ、かつ前記第二日車（５２２）を間欠的に回転させることができるように構成された第二プログラム歯車（５４６）とを含むことを特徴とするカレンダ機構付き時計。
【請求項４】
請求項３に記載のカレンダ機構付き時計において、前記プログラム日車（５４２）は、前記駆動機構の作動を受け入れるための３１個の歯部を有し、前記第一プログラム歯車（５４４）は、前記第一日車（５１２）を回転させるための３０個の歯部を有し、前記第二プログラム歯車（５４６）は、前記第二日車（５２２）を回転させるための８個の歯部を有し、前記第一日車（５１２）は、「１」、「２」、「３」、「４」、「５」、「６」、「７」、「８」、「９」、「０」の順序で周方向に配列された１０個の数字を含む第一日文字表示面（５１２ｆ）を有し、前記第二日車（５２２）は、「０」、「０」、「１」、「１」、「２」、「２」、「３」、「３」の順序で周方向に配列された８個の数字を含む第二日文字表示面（５２２ｆ）を有することを特徴とするカレンダ機構付き時計。
【請求項５】
請求項３に記載のカレンダ機構付き時計において、前記プログラム日車（５４２）は、前記駆動機構の作動を受け入れるための３１個の歯部を有し、前記第一プログラム歯車（５４４）は、前記第一日車（５１２）を回転させるための３０個の歯部を有し、前記第二プログラム歯車（５４６）は、前記第二日車（５２２）を回転させるための４個の歯部を有し、前記第一日車（５１２）は、「１」、「２」、「３」、「４」、「５」、「６」、「７」、「８」、「９」、「０」の順序で周方向に配列された１０個の数字を含む第一日文字表示面（５１２ｆ）を有し、前記第二日車（５６２）は、「０」、「１」、「２」、「３」、「０」、「１」、「２」、「３」の順序で周方向に配列された８個の数字を含む第二日文字表示面（５６２ｆ）を有することを特徴とするカレンダ機構付き時計。
【請求項６】
請求項３に記載のカレンダ機構付き時計において、前記駆動機構の作動に基づいて回転するように構成され、かつ、前記プログラム歯車（５４０）と重なるように配置された日回し中間車（５３０、５３１）と、前記日回し中間車（５３０、５３１）の回転に基づいて回転するように構成された日回し車（５１０）と、前記日回し車（５１０）の回転に基づいて回転するように構成された日回しつめ（５１１）とを備え、前記プログラム日車（５４２）は前記日回しつめ（５１１）の回転に基づいて回転するように構成されることを特徴とするカレンダ機構付き時計。
【請求項７】
請求項１に記載のカレンダ機構付き時計において、前記プログラム日車（５４２）の回転を規正するためのプログラム日車ジャンパ（５３４）と、前記第一日車（５１２）の回転を規正するための第一日車ジャンパ（５１４）と、前記第二日車（５２２）の回転を規正するための第二日車ジャンパ（５２４）とを備えることを特徴とするカレンダ機構付き時計。
【請求項８】
請求項３に記載のカレンダ機構付き時計において、カレンダ修正ができる巻真位置に巻真（３１０）を引き出した状態において、前記巻真（３１０）を回転させることにより前記第一日車（５１２）の表示内容、及び／又は、前記第二日車（５２２）の表示内容を修正することができるカレンダ修正機構を備え、前記カレンダ修正機構はカレンダ修正車（５９２）を含み、カレンダ修正ができる巻真位置に巻真（３１０）を引き出した状態において、前記巻真（３１０）の回転に基づいて前記カレンダ修正車（５９２）が回転することにより前記プログラム車（５４０）を回転させることができるように構成されることを特徴とするカレンダ機構付き時計。
【発明の詳細な説明】
【技術分野】
【０００１】
本発明は、日付のうちの一の位を表示する第一日車と、日付のうちの十の位を表示する第二日車とを含むカレンダ機構付き時計に関する。さらに詳細には、本発明は、時刻表示車の回転中心軸線がプログラム歯車の中心穴の内側に位置するように構成されたカレンダ機構付き時計に関する。
【背景技術】
【０００２】
（１）用語の説明：
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。一般に、「１２時側」とは、アナログ式時計において、文字板の１２時に対応する目盛が配置されている方の側を示す。「１２時方向」とは、アナログ式時計において、指針の回転中心から「１２時側」に向かう方向を示す。また、「３時側」とは、アナログ式時計において、文字板の３時に対応する目盛が配置されている方の側を示す。「３時方向」とは、アナログ式時計において、指針の回転中心から「３時側」に向かう方向を示す。また、「６時側」とは、アナログ式時計において、文字板の６時に対応する目盛が配置されている方の側を示す。「６時方向」とは、アナログ式時計において、指針の回転中心から「６時側」に向かう方向を示す。また、「９時側」とは、アナログ式時計において、文字板の９時に対応する目盛が配置されている方の側を示す。「９時方向」とは、アナログ式時計において、指針の回転中心から「９時側」に向かう方向を示す。さらに、「２時方向」、「２時側」のように、その他の文字板の目盛が配置されている方の側を示すことがある。
【０００３】
（２）従来のカレンダ機構付き時計：
以下に、日付のうちの一の位を表示する第一日車と、日付のうちの十の位を表示する第二日車とを含む従来のカレンダ機構付き時計の構成について説明する。
（２・１）従来の第一タイプのカレンダ機構付き時計：
図２５を参照すると、従来の第一タイプのカレンダ機構付き時計は、少なくとも部分的に重なり合っている２つの日車８２２、８２４を備える。第一日車８２２は１の位の日付表示を提供し、第二日車８２４は１０の位の日付表示を提供する。駆動機構は、筒車８１６の回転により２４時間につき１周する２４時間車８２０と、２４時間車８２０の回転により作動する作動レバー８４４と、他の制御用歯車などを含む。作動レバー８４４の作動によってプログラム車８５０が回転し、第一日車駆動車８５２が第一日車８２２を回転させ、第二日車駆動車８５４が第二日車８２４を回転させる。第一日車８２２の回転は、第一日車ジャンパ８６２によって規正される。第二日車８２４の回転は、第二日車ジャンパ８６４によって規正される（例えば、特許文献１参照）。
【０００４】
（２・２）従来の第二タイプのカレンダ機構付き時計：
図２６を参照すると、従来の第二タイプのカレンダ機構付き時計は、日付の１の位を表示する１の位円盤９３２と、日付の１０の位を表示する１０の位円盤９３１とを備える。１の位ピニオン９３３が１の位円盤９３２に固定されている。１の位ジャンパ９３６が１の位ピニオン９３３の角度位置を維持する。１０の位ピニオン９３４が１０の位円盤９３１に固定されている。１０の位ジャンパ９４０が１０の位ピニオン９３４の角度位置を維持する。１の位ピニオン９３３は、日にち歯車９０８の歯列の上半分と噛み合う。駆動装置９０６のそれぞれの鉤は日にち歯車９０８の歯列と噛み合い、それによって日にち歯車９０８の歯を一日に１ピッチだけ前進させる。１０の位ピニオン９３４は中間可動部品９３７によって１ピッチずつ駆動される。中間可動部品９３７は、遊び歯車９３８を介して日にち歯車９０８によって１ピッチずつ駆動される（例えば、特許文献２参照）。
【０００５】
（３）特許文献のリスト：
【特許文献１】欧州特許出願公開第１０７０９９６  Ａ１号公報
【特許文献２】特開２０００−１４７１４８号公報
【発明の開示】
【発明が解決しようとする課題】
【０００６】
従来の第一タイプのカレンダ機構付き時計では、第一日車８２２と第二日車８２４を駆動する駆動機構は、２４時間車８２０と、作動レバー８４４と、他の制御用歯車などを含むので、駆動機構の構造が複雑であり、駆動機構が占有する面積が大きいという課題があった。また、従来の第二タイプのカレンダ機構付き時計では、１０の位ピニオン９３４は中間可動部品９３７と遊び歯車９３８を介して日にち歯車９０８によって駆動されるので、１０の位円盤９３１を駆動するための駆動機構が複雑であり、駆動機構が占有する面積が大きいという課題があった。さらに、従来のカレンダ機構付き時計は駆動機構が複雑であり、カレンダ修正機構の設計の自由度が小さいという課題があった。
【０００７】
本発明の目的は、第一日車と、第二日車とを含み、第一日車及び第二日車を駆動する駆動機構を簡単な構造で、コンパクトな機構となるように構成したカレンダ機構付き時計を提供することにある。また、本発明の他の目的は、カレンダ修正機構の設計の自由度が大きい本発明のカレンダ機構付き時計を提供することにある。
【課題を解決するための手段】
【０００８】
本発明は、２つの日車を含むカレンダ機構付き時計において、カレンダ機構付き時計を駆動するための駆動機構と、駆動機構の作動により回転して時刻情報を表示する時刻表示車と、日付のうちの一の位を表示する第一日車と、日付のうちの十の位を表示する第二日車と、駆動機構の作動に基づいて、第一日車および第二日車を、それぞれ間欠的に回転させることができるように構成されたプログラム歯車とを備え、時刻表示車が回転可能な状態で、時刻表示車の回転中心軸線は、プログラム歯車の中心穴の内側に位置するように構成され、互いに隣接して位置決めされた、第一日車に設けられた第一日文字のうちの１つと、第二日車に設けられた第二日文字のうちの１つとによって、日に関する情報を表示することができるように構成されることを特徴とする。この構成により、第一日車及び第二日車を駆動する駆動機構が簡単かつコンパクトに構成されたカレンダ機構付き時計を実現することができる。
【０００９】
本発明のカレンダ機構付き時計では、プログラム歯車の回転中心軸線は、時刻表示車の回転中心軸線と一致するように構成されるのが好ましい。また、本発明のカレンダ機構付き時計では、プログラム歯車は、駆動機構の作動に基づいて回転するように構成されたプログラム日車と、プログラム日車と一体に回転することができ、かつ第一日車を間欠的に回転させることができるように構成された第一プログラム歯車と、プログラム日車と一体に回転することができ、かつ第二日車を間欠的に回転させることができるように構成された第二プログラム歯車とを含むのがよい。この構成により、コンパクトに構成されたカレンダ機構付き時計を実現することができる。
【００１０】
本発明のカレンダ機構付き時計では、プログラム日車は、駆動機構の作動を受け入れるための３１個の歯部を有し、第一プログラム歯車は、前記第一日車を回転させるための３０個の歯部を有し、第二プログラム歯車は、第二日車を回転させるための８個の歯部を有し、第一日車は、「１」、「２」、「３」、「４」、「５」、「６」、「７」、「８」、「９」、「０」の順序で周方向に配列された１０個の数字を含む第一日文字表示面を有し、第二日車は、「０」、「０」、「１」、「１」、「２」、「２」、「３」、「３」の順序で周方向に配列された８個の数字を含む第二日文字表示面を有するように構成することができる。この構成により、カレンダ表示が大きくて見やすいカレンダ機構付き時計を実現することができる。
【００１１】
本発明のカレンダ機構付き時計では、プログラム日車は、駆動機構の作動を受け入れるための３１個の歯部を有し、第一プログラム歯車は、第一日車を回転させるための３０個の歯部を有し、第二プログラム歯車は、第二日車を回転させるための４個の歯部を有し、第一日車は、「１」、「２」、「３」、「４」、「５」、「６」、「７」、「８」、「９」、「０」の順序で周方向に配列された１０個の数字を含む第一日文字表示面を有し、第二日車は、「０」、「１」、「２」、「３」、「０」、「１」、「２」、「３」の順序で周方向に配列された８個の数字を含む第二日文字表示面を有するように構成することができる。この構成により、カレンダ表示が大きくて見やすいカレンダ機構付き時計を実現することができる。
【００１２】
本発明のカレンダ機構付き時計では、駆動機構の作動に基づいて回転するように構成され、かつ、プログラム歯車と重なるように配置された日回し中間車と、日回し中間車の回転に基づいて回転するように構成された日回し車と、日回し車の回転に基づいて回転するように構成された日回しつめとを備え、プログラム日車は日回しつめの回転に基づいて回転するように構成されるのが好ましい。この構成により、コンパクトに構成されたカレンダ機構付き時計を実現することができる。本発明のカレンダ機構付き時計では、プログラム日車の回転を規正するためのプログラム日車ジャンパと、第一日車の回転を規正するための第一日車ジャンパと、第二日車の回転を規正するための第二日車ジャンパとを備えるのが好ましい。この構成により、プログラム日車、第一日車、第二日車の回転を同時に確実に規正することができる。
【００１３】
本発明のカレンダ機構付き時計では、カレンダ修正ができる巻真位置に巻真を引き出した状態において、巻真を回転させることにより第一日車の表示内容、及び／又は、第二日車の表示内容を修正することができるカレンダ修正機構を備え、前記カレンダ修正機構はカレンダ修正車を含み、カレンダ修正ができる巻真位置に巻真を引き出した状態において、巻真の回転に基づいてカレンダ修正車が回転することによりプログラム車を回転させることができるように構成することができる。本発明のカレンダ機構付き時計では、時刻表示車が回転可能な状態で、時刻表示車の回転中心軸線は、プログラム歯車の中心穴の内側に位置するように構成され、プログラム歯車の外径寸法を大きくすることができるので、カレンダ修正機構の設計の自由度を大きくすることができる。
【発明の効果】
【００１４】
本発明のカレンダ機構付き時計は、第一日車と、第二日車を駆動する駆動機構が簡単であり、駆動機構が占有する面積は小さい。したがって、本発明のカレンダ機構付き時計は、小型で薄型である。また、本発明のカレンダ機構付き時計は、カレンダ表示が大きくて見やすい。また、本発明のカレンダ機構付き時計は、カレンダ修正機構の設計の自由度が大きい。
【発明を実施するための最良の形態】
【００１５】
以下に、本発明のカレンダ機構付き時計の実施の形態を図面に基づいて説明する。
（１）本発明のカレンダ機構付き時計の第１の実施の形態の構造：
最初に、本発明のカレンダ機構付き時計の第１の実施の形態について説明する。本発明のカレンダ機構付き時計の第１の実施の形態は、カレンダ機構付き時計を自動巻機構付きの機械式時計で構成した実施形態である。
（１・１）ムーブメントの表側の構造：
以下に、ムーブメントの表側（地板の文字板と反対にある方の側）の概略構造を説明する。図３〜図６を参照すると、本発明のカレンダ機構付き時計において、ムーブメント１００は、ムーブメント１００の基板を構成する地板１０２を有する。巻真３１０が、地板１０２の巻真案内穴に回転可能に組み込まれる。文字板１０４（図３、図４に仮想線で示す）がムーブメント１００に取付けられる。図５および図６を参照すると、てんぷ３４０、がんぎ車３３０、アンクル３４２を含む脱進・調速装置と、四番車３２８、三番車３２６、二番車３２５、香箱車３２０を含む表輪列は、ムーブメント１００の「表側」に配置される。おしどり、かんぬき、かんぬきばね、かんぬき押さえを含む切換装置は、ムーブメント１００の「裏側」に配置される。さらに、香箱車３２０の上軸部、二番車３２５の上軸部を回転可能なように支持する香箱受３６０と、三番車３２６の上軸部、四番車３２８の上軸部、がんぎ車３３０の上軸部を回転可能なように支持する輪列受３６２と、アンクル３４２の上軸部を回転可能なように支持するアンクル受３６４と、てんぷ３４０の上軸部を回転可能なように支持するてんぷ受３６６とが、ムーブメント１００の「表側」に配置される。
【００１６】
（１・２）自動巻機構：
次に、自動巻機構の構造を説明する。図３〜図６を参照すると、自動巻機構は回転錘２１０と、回転錘２１０の回転に基づいて回転する一番仲介車２１２と、一番仲介車２１２の回転に基づいて回転する二番仲介車２１６と、一番仲介車２１２および二番仲介車２１６の回転に基づいて１方向に回転する切換伝え車２２０と、切換伝え車２２０の回転に基づいて回転する一番伝え車２５０と、一番伝え車２５０の回転に基づいて回転する二番伝え車２５２と、二番伝え車２５２の回転に基づいて回転する三番伝え車２５４とを備える。回転錘２１０は、輪列受３６２に固定された内輪２１０ａと、複数のボール２１０ｂと、外輪２１０ｃと、外輪２１０ｃと一体に設けられた回転錘かな２１０ｄと、外輪２１０ｃに固定された回転錘体２１０ｅと、回転錘体２１０ｅに固定された回転重錘２１０ｆとを含む。外輪２１０ｃはボール２１０ｂを介して内輪２１０ａに対して回転可能なように構成される。一番仲介車２１２は一番仲介歯車と、一番仲介かなとを含む。一番仲介車２１２は地板１０２に設けられた一番仲介車ピンに対して回転可能に設けられる。回転錘かな２１０ｄは一番仲介歯車と噛み合うように構成される。二番仲介車２１６は二番仲介歯車を含む。二番仲介歯車は一番仲介かなと噛み合うように構成される。二番仲介車２１６の上軸部、切換伝え車２２０の上軸部は、輪列受３６２に対して回転可能に設けられる。二番仲介車２１６の下軸部、切換伝え車２２０の下軸部は、地板１０２に対して回転可能に設けられる。
【００１７】
一番伝え車２５０は一番伝え歯車と、一番伝えかなとを含む。二番伝え車２５２は二番伝え歯車を含む。一番伝えかなは二番伝え歯車と噛み合うように構成される。三番伝え車２５４は三番伝え歯車と、三番伝えかなとを含む。二番伝え歯車は一番伝えかなおよび三番伝え歯車と噛み合うように構成される。一番伝え車２５０の上軸部、二番伝え車２５２の上軸部は、自動巻輪列受（伝え受）２７０に対して回転可能に設けられる。一番伝え車２５０の下軸部、二番伝え車２５２の下軸部は、香箱受３６０に対して回転可能に設けられる。三番伝え車２５４は香箱受３６０に設けられた三番伝え車ピンに対して回転可能に設けられる。三番伝えかなは角穴車３１６と噛み合うように構成される。切換伝え車２２０は、切換伝えかなを含む。この自動巻機構においては、回転錘２１０が回転する方向にかかわらず、切換伝えかなの回転方向は一定であるので、切換伝えかなの回転に基づいて、一番伝え車２５０、二番伝え車２５２、三番伝え車２５４の回転を介して角穴車３１６を一方向にのみ回転させることができる。角穴車３１６が回転することにより、香箱車３２０内のぜんまいを一方向にのみ巻き上げることができる。
【００１８】
（１・３）脱進・調速装置および表輪列：
次に、脱進・調速装置および表輪列の構造を説明する。後述する切換装置により、巻真３１０の軸線方向の位置を決める。巻真３１０が、回転軸線方向に沿ってムーブメント１００の内側に一番近い方の第１の巻真位置（０段目）にある状態で巻真３１０を回転させると、つづみ車３１１の回転を介してきち車３１２が回転する（図２参照）。丸穴車３１３が、きち車３１２の回転により回転するように構成される。丸穴伝え車３１４が、丸穴車３１３の回転により回転するように構成される。揺動丸穴車３１５が、丸穴伝え車３１４の回転により回転するように構成される。角穴車３１６が、揺動丸穴車３１５の回転により回転する。香箱車３２０は、香箱歯車３２０ｄと、香箱真と、ぜんまいとを備える。角穴車３１６が回転することにより、香箱車３２０に収容されたぜんまいを巻き上げるように構成される。
【００１９】
二番車３２５が、香箱車３２０の回転により回転するように構成される。二番車３２５は二番歯車３２５ａと、二番かなとを含む。香箱歯車３２０ｄは二番かなと噛み合うように構成される。三番車３２６が二番車３２５の回転により回転するように構成される。三番車３２６は三番歯車と、三番かなとを含む。四番車３２８が、三番車３２６の回転により１分間に１回転するように構成される。四番車３２８は四番歯車と、四番かなとを含む。三番歯車は四番かなと噛み合うように構成される。四番車３２８の回転により、がんぎ車３３０は、アンクル３４２に制御されながら回転するように構成される。がんぎ車３３０はがんぎ歯車と、がんぎかなとを含む。四番歯車はがんぎかなと噛み合うように構成される。香箱車３２０、二番車３２５、三番車３２６、四番車３２８は表輪列を構成する。表輪列の回転を制御するための脱進・調速装置は、てんぷ３４０と、がんぎ車３３０と、アンクル３４２とを含む。すなわち、がんぎ車３３０は、アンクル３４２、てんぷ３４０は脱進・調速装置を構成する。てんぷ３４０は、てん真と、てん輪３４０ｂと、ひげぜんまい３４０ｃとを含む。ひげぜんまい３４０ｃは、複数の巻き数をもったうずまき状（螺旋状）の形態の薄板ばねである。てんぷ３４０は、地板１０２及びてんぷ受３６６に対して回転可能なように支持される。
【００２０】
香箱車３２０、二番車３２５は、地板１０２及び香箱受３６０に対して回転可能なように支持される。すなわち、香箱車３２０の上軸部、二番車３２５の上軸部、がんぎ車３３０の上軸部は、輪列受３６２に対して回転可能なように支持される。また、香箱車３２０の下軸部、二番車３２５の下軸部は、地板１０２に対して、回転可能に支持される。三番車３２６、四番車３２８、がんぎ車３３０は、地板１０２及び輪列受３６２に対して回転可能なように支持される。すなわち、三番車３２６の上軸部、四番車３２８の上軸部、がんぎ車３３０の上軸部は、輪列受３６２に対して回転可能なように支持される。三番車３２６の下軸部、がんぎ車３３０の下軸部は、地板１０２に対して、回転可能に支持される。四番車３２８の下軸部は、地板１０２に固定された中心パイプ１０２ｊの中心穴の中に回転可能に支持される。アンクル３４２は、地板１０２及びアンクル受３６４に対して回転可能なように支持される。アンクル３４２の上軸部は、アンクル受３６４に対して回転可能なように支持される。アンクル３４２の下軸部は、地板１０２に対して、回転可能に支持される。二番車３２５の回転により、三番車３２６の回転を介して、四番車３２８は１分間に１回転する。四番車３２８に取付けられた秒針３５８が「秒」を表示する。
【００２１】
（１・４）切換機構、裏輪列、針合わせ機構：
以下に、切換機構、針合わせ機構の構成について説明する。図２および図３を参照すると、おしどり３７０、かんぬき３７１、かんぬき押さえ３７２を含む切換装置が、ムーブメント１００の「裏側」に配置される。切換装置は、ムーブメント１００の「表側」に配置することもできる。つづみ車３１１が巻真３１０の回転軸線と同一の回転軸線を有するように配置される。巻真３１０が０段目、１段目、２段目にあるとき、巻真３１０の回転に基づいて、つづみ車３１１は回転するように構成される。小鉄車３７６は小鉄車作動レバー３７４に対して回転可能なように配置される。
【００２２】
図２〜図４を参照すると、第二地板１０８が地板１０２の文字板１０４のある側に配置される。分車３２４は、分歯車３２４ａと筒かな３２４ｂとを含む。分歯車３２４ａは三番かな３２６ｂと噛み合うように構成される。分歯車３２４ａと筒かな３２４ｂは一体になって回転するように構成される。分歯車３２４ａは、地板１０２と第二地板１０８との間に配置される。筒かな３２４ｂと分歯車３２４ａには、筒かな３２４ｂが分歯車３２４ａに対してスリップできるように構成されたスリップ機構が設けられる。三番車３２６の回転により分車３２４の回転を介して、日の裏車３４８が回転するように構成される。日の裏車３４８は日の裏歯車３４８ａと、日の裏かな３４８ｂとを含む。日の裏車３４８は、地板１０２と第二地板１０８との間に配置される。筒かな３２４ｂは日の裏歯車３４８ａと噛み合うように構成される。筒車３５４が日の裏かな３４８ｂと噛み合うように構成される。筒車３５４の歯車部は、地板１０２と第二地板１０８との間に配置される。
【００２３】
日の裏車３４８の回転により、筒車３５４は１２時間に１回転するように構成される。分車３２４、日の裏車３４８、筒車３５４は、裏輪列を構成する。香箱車３２０の回転により、二番車３２５、三番車３２６の回転を介して、分車３２４は１時間に１回転する。分車３２４の筒かな３２４ｂに取付けられた分針３５２が「分」を表示する。分車３２４の回転に基づいて、日の裏車３４８の回転を介して、筒車３５４は１２時間に１回転する。筒車３５４に取付けられた時針３５６が「時」を表示する。巻真３１０を２段目に引き出すと、小鉄車作動レバー３７４が回転して、第３の巻真位置（２段目）にある状態で、巻真３１０を回転させると、つづみ車３１１、小鉄車３７６の回転を介して、日の裏車３４８を回転させることができる。巻真３１０が１段目にある状態で、日の裏車３４８を回転させると、筒かな３２４ｂおよび筒車３５４を回転させることができるので、時計の時刻を修正することができる。この状態では、筒かな３２４ｂおよび分歯車３２４ａに設けられたスリップ機構によりは、筒かな３２４ｂは分歯車３２４ａに対してスリップすることができる。
【００２４】
（１・５）日車送り機構の構成：
以下に、日車送り機構の構成について説明する。図１〜図４を参照すると、日送り機構は、第一日回し中間車５３０と、第二日回し中間車５３１と、日回し車５１０と、日回しつめ５１１と、プログラム車５４０と、プログラム日車ジャンパ５３４とを含む。第一日回し中間車５３０は地板１０２に設けられた第一日回し中間車ピンに対して回転可能に組み込まれる。第二日回し中間車５３１は地板１０２に設けられた第二日回し中間車ピンに対して回転可能に組み込まれる。日回し車５１０および日回しつめ５１１は、地板１０２に設けられたピンに対して回転可能に組み込まれる。筒車３５４の歯車部は、第一日回し中間車５３０の歯車部と噛み合う。第一日回し中間車５３０の歯車部は、第二日回し中間車５３１の歯車部と噛み合う。第二日回し中間車５３１のかな部は、日回し歯車５１０ｃの歯車部と噛み合う。筒車３５４が回転することにより、第一日回し中間車５３０、第二日回し中間車５３１の回転を介して日回し車５１０が２４時間で１回転するように構成される。日回しつめ５１１は、日回し車５１０の回転に基づいて回転するように構成される。第一日回し中間車５３０および第二日回し中間車５３１は、地板１０２と第二地板１０８との間に配置される。日回し車５１０は、地板１０２と第二地板１０８との間に配置される。日回し車５１０の回転中心は、文字板の「７時方向」と「８時方向」との間に配置されるのが好ましい。
【００２５】
図１〜図４、図９を参照すると、プログラム車５４０の中心穴５４０ｈは、第二地板１０８に設けられたプログラム歯車案内軸部１０８ｂの外周に対して回転可能に組み込まれる。プログラム歯車押え５３６が第二地板１０８の文字板１０４のある側に配置される。プログラム車５４０は、第二地板１０８とプログラム歯車押え５３６との間に配置される。時刻表示車を構成する筒車３５４、分車３２４が回転可能な状態で、時刻表示車を構成する筒車３５４、分車３２４の回転中心軸線は、プログラム車５４０の中心穴５４０ｈの内側に位置するように構成される。時刻表示車を構成する筒車３５４、分車３２４の回転中心軸線は、プログラム車５４０の回転中心軸線と一致するように構成されるのが好ましい。この構成により、カレンダ機構付き時計において、第一日車５１２と、第二日車５２２を駆動する駆動機構が占有する面積を小さくすることができる。
【００２６】
図１〜図４、図９〜図１１を参照すると、プログラム車５４０は、日回しつめ５１１の回転によって回転するように構成されたプログラム日車５４２と、プログラム日車５４２と一体に回転することができ、かつ第一日車５１２を間欠的に回転させることができるように構成された第一プログラム歯車５４４と、プログラム日車５４２と一体に回転することができ、かつ第二日車５２２を間欠的に回転させることができるように構成された第二プログラム歯車５４６とを含む。プログラム日車５４２と、第一プログラム歯車５４４と、第二プログラム歯車５４６は、積層構造で構成することができる。プログラム日車５４２は、地板１０２に近い方の側に配置される。第二プログラム歯車５４６は、文字板１０４に近い方の側に配置される。第一プログラム歯車５４４は、プログラム日車５４２と第二プログラム歯車５４６との間に配置される。図１、図１３〜図１６に図示したプログラム車５４０おいて、黒く塗りつぶした台形の部分は、第一プログラム歯車５４４および第二プログラム歯車５４６の両方に歯部が存在する箇所を示し、黒く塗りつぶしていない台形の部分は、第一プログラム歯車５４４だけに歯部が存在する箇所を示している。
【００２７】
プログラム日車５４２は、等しい角度間隔となるように形成された３１個の歯部を有する。プログラム日車５４２の歯部の角度間隔は、３６０／３１度である。時刻表示車を構成する筒車３５４、分車３２４の回転中心軸線は、プログラム車５４０の回転中心軸線と一致するように構成すると、プログラム日車５４２がムーブメント１００の中心に位置し、プログラム日車５４２の外径寸法を大きくすることができるので、カレンダ修正機構を或る程度自由に配置することができ、カレンダ修正機構を構成する歯車のモジュールを大きくすることができる。したがって、本発明のカレンダ機構付き時計は、カレンダ修正機構の設計の自由度が大きい。
【００２８】
図１０を参照すると、第一プログラム歯車５４４は、等しい角度間隔となるように形成された３０個の歯部を有する。第一プログラム歯車５４４の歯部の角度間隔は、２９箇所が３６０／３１度であり、１箇所だけが２＊３６０／３１度である。図１１を参照すると、第二プログラム歯車５４６は、８個の歯部を有する。第二プログラム歯車５４６の歯部の角度間隔は、順番に、５＊３６０／３０度、５＊３６０／３０度、５＊３６０／３０度、５＊３６０／３０度、５＊３６０／３０度、４＊３６０／３０度、１＊３６０／３０度、１＊３６０／３０度である。
【００２９】
図７を参照すると、第一日車５１２は、日付のうちの一の位を表示するために設けられる。図８を参照すると、第二日車５２２は、日付のうちの十の位を表示するために設けられる。図１を参照すると、第一日車５１２の回転中心は、文字板の「１時方向」と「２時方向」との間に配置されるのが好ましい。第二日車５２２の回転中心は、文字板の「１０時方向」と「１１時方向」との間に配置されるのが好ましい。第一日車５１２の回転中心と第二日車５２２の回転中心とを結ぶ直線は、巻真３１０の中心軸線と平行になるように構成されるのがよい。この構成により、カレンダ表示が大きくて見やすいカレンダ機構付き時計を実現することができる。第一日車５１２の外径は、第二日車５２２の外径と等しい寸法に形成されるのがよい。第一日車５１２の外形の一部は、第二日車５２２の外形の一部と重なるように配置されるのがよい。第一日車５１２と第二日車５２２は、互いに隣接して位置決めされ、第一日車５１２に設けられた第一日文字のうちの１つと、第二日車５２２に設けられた第二日文字のうちの１つとによって、日に関する情報を表示することができるように構成される。
【００３０】
図１３は、本発明のカレンダ機構付き時計において、文字板１０４の１２時方向の位置に日窓を設け、この日窓から第一日車５１２が「９」を表示し、第二日車５２２が「２」を表示して、日付が「２９日」であることを表示している状態を示す。図１および図３を参照すると、第一日車５１２が第二地板１０８に回転可能に組み込まれる。第一日車５１２は、等しい角度間隔となるように形成された１０個の歯部を有する。第一日車ジャンパ５１４は第二地板１０８に組み込まれる。第一日車５１２の回転方向の位置を規正するための第一日車ジャンパ５１４は、ばね部と、ばね部の先端に設けられた規正部とを含む。第一日車ジャンパ５１４の規正部は第一日車５１２の歯部５１６のうちの２個を規正するように構成される。第二日車５２２が第二地板１０８に回転可能に組み込まれる。第二日車５２２は、等しい角度間隔となるように形成された８個の歯部を有する。第二日車５２２の回転方向の位置を規正するための第二日車ジャンパ５２４は第二地板１０８に組み込まれる。第二日車ジャンパ５２４は、ばね部と、ばね部の先端に設けられた規正部とを含む。第二日車ジャンパ５２４の規正部は第二日車５２２の歯部５２６のうちの２個を規正するように構成される。
【００３１】
図７を参照すると、１０個の数字からなる第一日文字５１２ｈが第一日車５１２の第一日文字表示面５１２ｆに設けられる。第一日文字５１２ｈは、「０」、「１」、「２」、「３」、「４」、「５」、「６」、「７」、「８」、「９」の順序で円周方向に数字を含む。第一日文字５１２ｈを構成する１０個の数字は、等しい角度間隔、すなわち（３６０／１０）度の間隔で第一日文字表示面５１２ｆに配置される。図１３に示す状態では、第一日文字５１２ｈのうちの「０」が文字板１０４に設けられた日窓１０４ｆに配置されているが、第一日車５１２が矢印で示す方向に１ピッチ回転すると、第一日文字５１２ｈのうちの「１」が日窓１０４ｆに配置されるように構成される。以下同様にして、第一日車５１２が矢印で示す方向に１ピッチ回転すると、「２」、「３」、「４」、「５」、「６」、「７」、「８」、「９」、「０」、「１」の順序で、第一日文字５１２ｈのうちの１つが日窓１０４ｆに配置されるように構成される。この構成により、カレンダ表示が大きくて見やすいカレンダ機構付き時計を実現することができる。
【００３２】
図８を参照すると、８個の数字からなる第二日文字５２２ｈが第二日車５２２の第二日文字表示面５２２ｆに設けられる。第二日文字５２２ｈは、「０」、「０」、「１」、「１」、「２」、「２」、「３」、「３」の順序で円周方向に数字を含む。第二日文字５２２ｈを構成する８個の数字は、等しい角度間隔、すなわち（３６０／８）度の間隔で第二日文字表示面５２２ｆに配置される。図１４に示す状態では、第二日文字５２２ｈのうちの「３」が日窓１０４ｆに配置されているが、第二日車５２２が矢印で示す方向に１ピッチ回転すると、第２日文字５２２ｈのうちの「３」次に配置された「３」が日窓１０４ｆに配置されるように構成される。以下同様にして、第二日車５２２が矢印で示す方向に１ピッチ回転すると、「０」、「０」、「１」、「１」、「２」、「２」、「３」の順序で、第二日文字５２２ｈのうちの１つが日窓１０４ｆに配置されるように構成される。或いは、第二日車５２２において、「０」の数字を設ける代わりに、その位置を「白紙」の部分（すなわち、何の数字も設けられていない無地の部分）とする構成も可能である。この構成により、カレンダ表示が大きくて見やすいカレンダ機構付き時計を実現することができる。
【００３３】
図１４に示す状態は、ムーブメント１００において、第二日文字５２２ｈのうちの「３」が日窓１０４ｆの左側の部分に配置され、かつ、第一日文字５１２ｈのうちの「０」が日窓１０４ｆの左側の部分に配置される状態である。第二日文字表示面５２２ｆは、第一日文字表示面５１２ｆよりも文字板１０４に近い位置に配置される。図１７を参照すると、本発明のカレンダ機構付き時計のコンプリート５００では、文字板１０４の１２時位置に日窓１０４ｆが形成されている。コンプリート５００において、文字板１０４の日窓１０４ｆの中の左側の部分には、第二日車５２２の第二日文字５２２ｈのうちの「３」が配置され、日窓１０４ｆの中の右側の部分には、第一日車５１２の第一日文字５１２ｈのうちの「０」が配置される。したがって、図１７はコンプリート５００が第二日車５２２の第二日文字５２２ｈと第一日車５１２の第一日文字５１２ｈとによって、「３０日」を表示している状態である。
【００３４】
図１〜図４および図１３を参照すると、筒車３５４が回転することにより、第一日回し中間車５３０、第二日回し中間車５３１の回転を介して日回し車５１０が回転して、日回しつめ５１１は、１日に１回だけ、プログラム車５４０を時計回り方向に１歯分だけ回転させる。プログラム車５４０が回転することによって、第一プログラム歯車５４４は第一日車５１２を反時計回り方向に１歯分だけ回転させて、第一日車５１２により日窓１０４ｇから表示される日文字を「９」から「０」に変えることができる。第一日車５１２の１歯分の回転は、第一日車ジャンパ５１４によって規正される。第一プログラム歯車５４４が第一日車５１２を回転させるのと同時に、第二プログラム歯車５４６は第二日車５２２を反時計回り方向に１歯分だけ回転させて、第二日車５２２により日窓１０４ｇから表示される日文字を「２」から「３」に変えることができる。第二日車５２２の１歯分の回転は、第二日車ジャンパ５２４によって規正される。図１４に示すように、上記のような日送りの作動によって、第二日車５２２の第二日文字５２２ｈによって「３」を表示し、第一日車５１２の第一日文字５１２ｈによって「０」を表示して、第二日車５２２および第一日車５１２によって日窓１０４ｇから「３０日」を表示することができる。上記のような日送りの作動は、時針３５６と分針３５２が１２時０分を表示するときに完了するように構成するのがよい。
【００３５】
（１・６）カレンダ修正機構の構成：
図１〜図３を参照すると、カレンダ修正機構は、第一カレンダ修正車５９０と、第二カレンダ修正車５９１と、カレンダ修正車５９２とを含む。カレンダ修正車５９２は、地板１０２に設けられた案内穴にそって揺動できるように構成される。巻真３１０を０段目から１段目に引き出すと、おしどり３７０の回転に基づいて小鉄作動レバー３７４が回転して、小鉄車３７６の歯車部は第一カレンダ修正車５９０の歯車部と噛み合うことができるように構成される。また、巻真３１０を０段目から１段目に引き出すと、おしどり３７０の回転に基づいて、かんぬき３７１が回転して、つづみ車３１１の内側歯部は小鉄車３７６の歯車部と噛み合うことができるように構成される。巻真３１０を１段目に引き出した状態で、巻真３１０を第１の方向に回転させると、つづみ車３１１が回転して、小鉄車３７６、第一カレンダ修正車５９０の回転によって第二カレンダ修正車５９１が回転し、第二カレンダ修正車５９１の回転によってカレンダ修正車５９２は反時計回り方向に揺動して、カレンダ修正車５９２の歯車部がプログラム日車５４２の歯部と噛み合う位置まで回転して停止し、そのカレンダ修正位置でカレンダ修正車５９２は回転するように構成される。カレンダ修正車５９２が前記カレンダ修正位置で回転すると、カレンダ修正車５９２はプログラム車５４０を時計回り方向に回転させることができるように構成される。
【００３６】
巻真３１０を１段目に引き出した状態で、巻真３１０を第１の方向と逆の第２の方向に回転させると、つづみ車３１１が回転して、小鉄車３７６、第一カレンダ修正車５９０の回転によって第二カレンダ修正車５９１が回転し、第二カレンダ修正車５９１の回転によってカレンダ修正車５９２は時計回り方向に揺動して、カレンダ修正車５９２の歯車部はプログラム日車５４２の歯部と噛み合わない位置まで回転して、空転位置で停止するように構成される。カレンダ修正車５９２が前記空転位置で回転しても、プログラム車５４０を回転させることができないように構成される。巻真３１０を１段目に引き出した状態で、巻真３１０を第１の方向に回転させると、つづみ車３１１、小鉄車３７６、第一カレンダ修正車５９０、第二カレンダ修正車５９１の回転を介してカレンダ修正車５９２が回転することによってプログラム車５４０が時計回り方向に１歯分だけ回転し、第一プログラム歯車５４４が第一日車５１２を反時計回り方向に１歯分だけ回転させることができるように構成される。第一プログラム歯車５４４が第一日車５１２を回転させるのと同時に、第二プログラム歯車５４６は第二日車５２２を反時計回り方向に１歯分だけ回転させることができるように構成される。
【００３７】
（１・７）通常運針の作用：
次に、本発明のカレンダ機構付き時計の通常運針の作動について説明する。図３〜図６、図１２、図１７を参照すると、香箱車３２０に組み込まれたぜんまい（図示せず）は時計の動力源を構成する。ぜんまいが巻き戻される（解放される）ことにより、香箱車３２０の香箱歯車３２０ｄは１つの方向に回転し、表輪列及び裏輪列の回転を介して、指針（時針、分針、秒針など）により時刻情報を表示する。ぜんまいの動力により回転する香箱歯車３２０ｄの回転は、調速装置及び脱進装置によって制御される。調速装置はてんぷ３４０を含む。脱進装置はアンクル３４２及びがんぎ車３３０を含む。香箱歯車３２０ｄの回転により、二番車３２５が回転する。二番車３２５の回転により、三番車３２６が回転する。三番車３２６の回転により、四番車３２８が１分間に１回転する。四番車３２８の回転速度は、がんぎ車３３０により制御される。がんぎ車３３０の回転速度は、アンクル３４２により制御される。アンクル３４２の揺動運動は、てんぷ３４０により制御される。三番車３２６の回転により、分車３２４が１時間に１回転する。分車３２４に取付けられた分針３５２が「分」を表示する。四番車３２８に取付けられた秒針３５８が「秒」を表示する。四番車３２８の回転中心と分車３２４の回転中心とは同じ位置にあるように構成される。分車３２４の回転により、日の裏車３４８が回転する。日の裏車３４８の回転により、筒車３５４は１２時間に１回転するように構成される。筒車３５４に取付けられた時針３５６が「時」を表示する。
【００３８】
（１・８）巻上げの作動：
以下に、本発明のカレンダ機構付き時計において、手巻機構の作用を説明する。図２、図５および図６を参照すると、角穴車３１６は香箱車３２０の香箱真と一体になって回転するように支持される。角穴車３１６は香箱車３２０の回転する方向と同一の方向にのみ回転することができる。角穴車の回転規正部材を構成するこはぜ３１８が、角穴車３１６の回転を１つの方向のみに規正するために香箱受３６０に設けられる。こはぜ３１８により、角穴車３１６が香箱車３２０の回転する方向と反対の方向に回転するのを阻止することができる。巻真３１０が０段目にある状態で、つづみ車３１１を１つの方向の回転させると、きち車３１２が回転し、きち車３１２の回転により、丸穴車３１３、丸穴伝え車３１４、揺動丸穴車３１５の回転を介して、角穴車３１６が時計回り方向に回転する。角穴車３１６が回転することにより、ぜんまいを巻くことができる。
【００３９】
次に、本発明のカレンダ機構付き時計において、自動巻機構の作用を説明する。図３〜図６を参照すると、自動巻機構は回転錘２１０と、回転錘２１０の回転に基づいて一番仲介車２１２が回転する。一番仲介車２１２の回転に基づいて二番仲介車２１６が回転する。切換伝え車２２０の切換伝えかなは、一番仲介車２１２および二番仲介車２１６の回転に基づいて１つの方向だけに回転する。切換伝えかなの回転に基づいて、一番伝え車２５０、二番伝え車２５２、三番伝え車２５４の回転を介して角穴車３１６を一方向にのみ回転させることができる。角穴車３１６が回転することにより、香箱車３２０内のぜんまいを一方向にのみ巻き上げることができる。
【００４０】
（１・９）針合わせの作動：
次に、本発明のカレンダ機構付き時計において、針合わせを行う場合の作用について説明する。図２に示す状態から巻真３１０を２段目に引き出すと、巻真３１０の回転に基づいて、つづみ車３１１は回転する。すなわち、巻真３１０を２段目に引き出した状態で、巻真３１０を回転させると、つづみ車３１１の回転に基づいて小鉄車３７６が回転する。小鉄車３７６の回転に基づいて、日の裏車３４８が回転する。従って、巻真３１０が２段目にあるときに、巻真３１０を回転させることにより、「針合わせ」をすることができる。すなわち、巻真３１０が２段目にあるときに、巻真３１０を回転させることにより、筒車３５４を回転させて、筒車３５４に取付けられた時針３５６が表示する「時」の表示内容を修正し、同時に、分車３２４を回転させることにより、分車３２４に取付けられた分針３５２が表示する「分」の表示内容を修正することができる。
【００４１】
（１・１０）カレンダ送りの作動：
次に、本発明のカレンダ機構付き時計のカレンダ送りの作用について説明する。図１３を参照すると、図１３に示す状態は、第二日文字５２２ｈのうちの「２」が日窓１０４ｆの左側の部分に配置され、かつ、第一日文字５１２ｈのうちの「９」が日窓１０４ｆの左側の部分に配置される状態である。したがって、図１３に示す状態は、コンプリート５００において、第二日車５２２の第二日文字５２２ｈと第一日車５１２の第一日文字５１２ｈとによって、「２９日」を表示している状態である。
【００４２】
図１〜図４および図１３を参照すると、筒車３５４が回転することにより、第一日回し中間車５３０、第二日回し中間車５３１の回転を介して日回し車５１０が回転して、日回しつめ５１１は、１日に１回だけ、プログラム車５４０を時計回り方向に１歯分だけ回転させる。プログラム車５４０が回転することによって、第一プログラム歯車５４４は第一日車５１２を反時計回り方向に１歯分だけ回転させて、第一日車５１２により日窓１０４ｇから表示される日文字を「９」から「０」に変える。第一プログラム歯車５４４が第一日車５１２を回転させるのと同時に、第二プログラム歯車５４６は第二日車５２２を反時計回り方向に１歯分だけ回転させて、第二日車５２２により日窓１０４ｇから表示される日文字を「２」から「３」に変える。したがって、図１４に示すように、上記のような日送りの作動によって、第二日車５２２の第二日文字５２２ｈによって「３」を表示し、第一日車５１２の第一日文字５１２ｈによって「０」を表示して、第二日車５２２および第一日車５１２によって日窓１０４ｇから「３０日」を表示することができる。上記のような日送りの作動は、時針３５６と分針３５２が１２時０分を表示するときに完了する。
【００４３】
図１〜図４および図１４を参照すると、さらに、筒車３５４が回転することにより、第一日回し中間車５３０、第二日回し中間車５３１の回転を介して日回し車５１０が回転して、日回しつめ５１１は、１日に１回だけ、プログラム車５４０を時計回り方向に１歯分だけ回転させる。プログラム車５４０が回転することによって、第一プログラム歯車５４４は第一日車５１２を反時計回り方向に１歯分だけ回転させて、第一日車５１２により日窓１０４ｇから表示される日文字を「０」から「１」に変える。第一プログラム歯車５４４が第一日車５１２を回転させるのと同時に、第二プログラム歯車５４６は第二日車５２２を反時計回り方向に１歯分だけ回転させて、第二日車５２２により日窓１０４ｇから表示される日文字を「２」の次に位置した「３」から「０」の前に位置した「３」に変える。したがって、図１５に示すように、上記のような日送りの作動によって、第二日車５２２の第二日文字５２２ｈによって「３」を表示し、第一日車５１２の第一日文字５１２ｈによって「１」を表示して、第二日車５２２および第一日車５１２によって日窓１０４ｇから「３１日」を表示することができる。
【００４４】
図１〜図４および図１５を参照すると、さらに、筒車３５４が回転することにより、第一日回し中間車５３０、第二日回し中間車５３１の回転を介して日回し車５１０が回転して、日回しつめ５１１は、１日に１回だけ、プログラム車５４０を時計回り方向に１歯分だけ回転させる。プログラム車５４０が回転しても、第一プログラム歯車５４４は第一日車５１２を回転させることはなく、第一日車５１２により日窓１０４ｇから表示される日文字は「１」のままである。このとき、第二プログラム歯車５４６は第二日車５２２を反時計回り方向に１歯分だけ回転させて、第二日車５２２により日窓１０４ｇから表示される日文字を「３」から「０」に変える。したがって、図１６に示すように、上記のような日送りの作動によって、第二日車５２２の第二日文字５２２ｈによって「０」を表示し、第一日車５１２の第一日文字５１２ｈによって「１」を表示して、第二日車５２２および第一日車５１２によって日窓１０４ｇから「０１日」（すなわち、「１日」）を表示することができる。
【００４５】
図１〜図４および図１６を参照すると、さらに、筒車３５４が回転することにより、第一日回し中間車５３０、第二日回し中間車５３１の回転を介して日回し車５１０が回転して、日回しつめ５１１は、１日に１回だけ、プログラム車５４０を時計回り方向に１歯分だけ回転させる。プログラム車５４０が回転することによって、第一プログラム歯車５４４は第一日車５１２を反時計回り方向に１歯分だけ回転させて、第一日車５１２により日窓１０４ｇから表示される日文字を「１」から「２」に変える。第一プログラム歯車５４４が第一日車５１２を回転させるときに、第二プログラム歯車５４６は第二日車５２２を回転させることはなく、第二日車５２２により日窓１０４ｇから表示される日文字は「０」のままである。したがって、上記のような日送りの作動によって、第二日車５２２の第二日文字５２２ｈによって「０」を表示し、第一日車５１２の第一日文字５１２ｈによって「２」を表示して、第二日車５２２および第一日車５１２によって日窓１０４ｇから「０２日」（すなわち、「２日」）を表示することができる。
【００４６】
さらに、筒車３５４が回転することにより、第一プログラム歯車５４４は第一日車５１２を反時計回り方向に１歯分だけ回転させて、第一日車５１２により日窓１０４ｇから表示される日文字を「２」から「３」に変える。第一プログラム歯車５４４が第一日車５１２を回転させるときに、第二プログラム歯車５４６は第二日車５２２を回転させることはなく、第二日車５２２により日窓１０４ｇから表示される日文字は「０」のままである。したがって、上記のような日送りの作動によって、第二日車５２２および第一日車５１２によって日窓１０４ｇから「０３日」（すなわち、「３日」）を表示することができる。
【００４７】
さらに、筒車３５４が回転することにより、第一プログラム歯車５４４は第一日車５１２を反時計回り方向に１歯分だけ回転させて、第一日車５１２により日窓１０４ｇから表示される日文字を「３」から「４」に変える。第一プログラム歯車５４４が第一日車５１２を回転させるときに、第二プログラム歯車５４６は第二日車５２２を回転させることはなく、第二日車５２２により日窓１０４ｇから表示される日文字は「０」のままである。したがって、上記のような日送りの作動によって、第二日車５２２および第一日車５１２によって日窓１０４ｇから「０４日」（すなわち、「４日」）を表示することができる。
【００４８】
さらに、筒車３５４が回転することにより、第一プログラム歯車５４４は第一日車５１２を反時計回り方向に１歯分だけ回転させて、第一日車５１２により日窓１０４ｇから表示される日文字を「４」から「５」に変える。このとき、第二プログラム歯車５４６は第二日車５２２を反時計回り方向に１歯分だけ回転させて、第二日車５２２により日窓１０４ｇから表示される日文字を日文字を「３」の次に位置した「０」から「１」の前に位置した「０」に変える。したがって、上記のような日送りの作動によって、第二日車５２２および第一日車５１２によって日窓１０４ｇから「０５日」（すなわち、「５日」）を表示することができる。以下同様にして、本発明のカレンダ機構付き時計においては、このような動作を５日単位で繰り返して、第二日車５２２および第一日車５１２によって日窓１０４ｇから「０１日」から「３１日」を表示することができる。
【００４９】
（１・１１）日修正の作動：
次に、本発明のカレンダ機構付き時計において、日修正を行う場合の作動について説明する。図１〜図３を参照すると、巻真３１０を１段目に引き出した状態で、巻真３１０を第１の方向に回転させると、つづみ車３１１が回転して、小鉄車３７６、第一カレンダ修正車５９０の回転によって第二カレンダ修正車５９１が回転し、第二カレンダ修正車５９１の回転によってカレンダ修正車５９２は反時計回り方向に揺動して、カレンダ修正車５９２の歯車部がプログラム日車５４２の歯部と噛み合う位置まで回転して停止し、そのカレンダ修正位置でカレンダ修正車５９２は回転する。カレンダ修正車５９２が前記カレンダ修正位置で回転すると、カレンダ修正車５９２が回転することによりプログラム車５４０を時計回り方向に回転させることができる。
【００５０】
図１〜図３および図１２を参照すると、巻真３１０を１段目に引き出した状態で、巻真３１０を第１の方向に回転させると、つづみ車３１１、小鉄車３７６、第一カレンダ修正車５９０、第二カレンダ修正車５９１の回転を介してカレンダ修正車５９２が回転することによってプログラム車５４０が時計回り方向に１歯分だけ回転し、第一プログラム歯車５４４が第一日車５１２を反時計回り方向に１歯分だけ回転させて、第一日車５１２により日窓１０４ｇから表示される日文字を「９」から「０」に変えることができる。第一プログラム歯車５４４が第一日車５１２を回転させるのと同時に、第二プログラム歯車５４６は第二日車５２２を反時計回り方向に１歯分だけ回転させて、第二日車５２２により日窓１０４ｇから表示される日文字を「２」から「３」に変えることができる。図８および図１２に示すように、上記のような修正作動を行うと、第二日車５２２の第二日文字５２２ｈによって「３」を表示し、第一日車５１２の第一日文字５１２ｈによって「０」を表示して、第二日車５２２および第一日車５１２によって日窓１０４ｇから「３０日」を表示することができる。
【００５１】
（２）第２の実施の形態：
次に、本発明のカレンダ機構付き時計の第２の実施の形態を説明する。以下の説明は、本発明のカレンダ機構付き時計の第２の実施形態が本発明のカレンダ機構付き時計の第１の実施形態と異なる点を主に述べる。したがって、以下に記載がない個所は、前述した本発明のカレンダ機構付き時計の第１の実施形態についての説明をここに準用する。
【００５２】
（２・１）第２の実施の形態の構成：
以下に、本発明のカレンダ機構付き時計の第２の実施の形態の構成を説明する。図１〜図４、図９〜図１１を参照すると、ムーブメント１９０において、プログラム車５６０は、プログラム日車５６２と、第一プログラム歯車５６４と、第二プログラム歯車５６６とを含む。プログラム日車５６２は、第１の実施形態のプログラム日車５４２と同じ構造である。第一プログラム歯車５６４は、第１の実施形態第一プログラム歯車５４４と同じ構造である。図１８〜図２２に図示したプログラム車５６０おいて、黒く塗りつぶした台形の部分は、第一プログラム歯車５６４および第二プログラム歯車５６６の両方に歯部が存在する箇所を示し、黒く塗りつぶしていない台形の部分は、第一プログラム歯車５６４だけに歯部が存在する箇所を示している。第二プログラム歯車５６６は、４個の歯部を有する。第二プログラム歯車５６６の歯部の角度間隔は、順番に、１０＊３６０／３０度、１０＊３６０／３０度、１０＊３６０／３０度、２＊３６０／３０度である。
【００５３】
図１９を参照すると、図１９は、本発明のカレンダ機構付き時計において、文字板１０４の日窓１０４ｆから第一日車５７２が「９」を表示し、第二日車５７４が「２」を表示して、日付が「２９日」であることを表示している状態を示す。１０個の数字からなる第一日文字５７２ｈが第一日車５７２の第一日文字表示面５１２ｆに設けられる。第一日文字５７２ｈは、「０」、「１」、「２」、「３」、「４」、「５」、「６」、「７」、「８」、「９」の順序で円周方向に数字を含む。第一日文字５７２ｈを構成する１０個の数字は、等しい角度間隔、すなわち（３６０／１０）度の間隔で第一日文字表示面５１２ｆに配置される。
【００５４】
８個の数字からなる第二日文字５７４ｈが第二日車５７４の第二日文字表示面５７４ｆに設けられる。第二日文字５７４ｈは、「０」、「１」、「２」、「３」、「０」、「１」、「２」、「３」の順序で円周方向に数字を含む。第二日文字５２２ｈを構成する８個の数字は、等しい角度間隔、すなわち（３６０／８）度の間隔で第二日文字表示面５２２ｆに配置される。図１９に示す状態では、第二日文字５７４ｈのうちの「２」が日窓１０４ｆに配置されているが、第二日車５７４が矢印で示す方向に１ピッチ回転すると、第２日文字５７４ｈのうちの「３」が日窓１０４ｆに配置されるように構成される。以下同様にして、第二日車５７４が矢印で示す方向に１ピッチ回転すると、「０」、「１」、「２」、「３」、「０」、「１」、「２」、「３」の順序で、第二日文字５７４ｈのうちの１つが日窓１０４ｆに配置されるように構成される。或いは、第二日車５７４において、「０」の数字を設ける代わりに、その位置を「白紙」の部分（すなわち、何の数字も設けられていない無地の部分）とする構成も可能である。
【００５５】
（２・２）第２の実施の形態の作用：
以下に、本発明のカレンダ機構付き時計の第２の実施の形態の作用について説明する。図１９を参照すると、図１９に示す状態は、第二日文字５７４ｈのうちの「２」が日窓１０４ｆの左側の部分に配置され、かつ、第一日文字５７２ｈのうちの「９」が日窓１０４ｆの左側の部分に配置される状態である。
【００５６】
図１８および図１９を参照すると、筒車３５４が回転することにより、第一日回し中間車５３０、第二日回し中間車５３１の回転を介して日回し車５１０が回転して、日回しつめ５１１は、１日に１回だけ、プログラム車５６０を時計回り方向に１歯分だけ回転させる。プログラム車５６０が回転することによって、第一プログラム歯車５６４は第一日車５７２を反時計回り方向に１歯分だけ回転させて、第一日車５７２により日窓１０４ｇから表示される日文字を「９」から「０」に変える。第一プログラム歯車５６４が第一日車５７２を回転させるのと同時に、第二プログラム歯車５６６は第二日車５７４を反時計回り方向に１歯分だけ回転させて、第二日車５７４により日窓１０４ｇから表示される日文字を「２」から「３」に変える。したがって、図２０に示すように、上記のような日送りの作動によって、第二日車５７４の第二日文字５７４ｈによって「３」を表示し、第一日車５７２の第一日文字５７２ｈによって「０」を表示して、第二日車５７４および第一日車５７２によって日窓１０４ｇから「３０日」を表示することができる。
【００５７】
図１８および図２０を参照すると、さらに、筒車３５４が回転することにより、第一日回し中間車５３０、第二日回し中間車５３１の回転を介して日回し車５１０が回転して、日回しつめ５１１は、１日に１回だけ、プログラム車５６０を時計回り方向に１歯分だけ回転させる。プログラム車５６０が回転することによって、第一プログラム歯車５６４は第一日車５７２を反時計回り方向に１歯分だけ回転させて、第一日車５７２により日窓１０４ｇから表示される日文字を「０」から「１」に変える。このとき、第二プログラム歯車５６６は第二日車５７４を回転させることはなく、第二日車５７４により日窓１０４ｇから表示される日文字は「３」のままである。したがって、図２１に示すように、上記のような日送りの作動によって、第二日車５７４の第二日文字５２２ｈによって「３」を表示し、第一日車５７２の第一日文字５７２ｈによって「１」を表示して、第二日車５７４および第一日車５７２によって日窓１０４ｇから「３１日」を表示することができる。
【００５８】
図１８および図２１を参照すると、さらに、筒車３５４が回転することにより、第一日回し中間車５３０、第二日回し中間車５３１の回転を介して日回し車５１０が回転して、日回しつめ５１１は、１日に１回だけ、プログラム車５６０を時計回り方向に１歯分だけ回転させる。プログラム車５６０が回転しても、第一プログラム歯車５６４は第一日車５７２を回転させることはなく、第一日車５７２により日窓１０４ｇから表示される日文字は「１」のままである。このとき、第二プログラム歯車５６６は第二日車５７４を反時計回り方向に１歯分だけ回転させて、第二日車５７４により日窓１０４ｇから表示される日文字を「３」から「０」に変える。したがって、図２２に示すように、上記のような日送りの作動によって、第二日車５７４の第二日文字５７４ｈによって「０」を表示し、第一日車５７２の第一日文字５７２ｈによって「１」を表示して、第二日車５７４および第一日車５７２によって日窓１０４ｇから「０１日」（すなわち、「１日」）を表示することができる。
【００５９】
図１８および図２２を参照すると、さらに、筒車３５４が回転することにより、第一日回し中間車５３０、第二日回し中間車５３１の回転を介して日回し車５１０が回転して、日回しつめ５１１は、１日に１回だけ、プログラム車５６０を時計回り方向に１歯分だけ回転させる。プログラム車５６０が回転することによって、第一プログラム歯車５６４は第一日車５７２を反時計回り方向に１歯分だけ回転させて、第一日車５７２により日窓１０４ｇから表示される日文字を「１」から「２」に変える。第一プログラム歯車５６４が第一日車５７２を回転させるときに、第二プログラム歯車５６６は第二日車５７４を回転させることはなく、第二日車５７４により日窓１０４ｇから表示される日文字は「０」のままである。したがって、上記のような日送りの作動によって、第二日車５７４の第二日文字５７４ｈによって「０」を表示し、第一日車５７２の第一日文字５７２ｈによって「２」を表示して、第二日車５７４および第一日車５７２によって日窓１０４ｇから「０２日」（すなわち、「２日」）を表示することができる。
【００６０】
さらに、筒車３５４が回転することにより、１日に１回だけ、プログラム車５６０プログラム車５６０が回転することによって、第一プログラム歯車５６４は第一日車５７２を反時計回り方向に１歯分だけ回転させて、第一日車５７２により日窓１０４ｇから表示される日文字を「３」に変える。このような動作を行い、第二日車５７４および第一日車５７２によって日窓１０４ｇから「０３日」、「０４日」、「０５日」、「０６日」、「０７日」、「０８日」、「０９日」を順番に表示することができる。この構成により、カレンダ表示が大きくて見やすいカレンダ機構付き時計を実現することができる。
【００６１】
さらに、筒車３５４が回転することにより、第一日回し中間車５３０、第二日回し中間車５３１の回転を介して日回し車５１０が回転して、日回しつめ５１１は、１日に１回だけ、プログラム車５６０を時計回り方向に１歯分だけ回転させる。プログラム車５６０が回転することによって、第一プログラム歯車５６４は第一日車５７２を反時計回り方向に１歯分だけ回転させて、第一日車５７２により日窓１０４ｇから表示される日文字を「９」から「０」に変える。第一プログラム歯車５６４が第一日車５７２を回転させるのと同時に、第二プログラム歯車５６６は第二日車５７４を反時計回り方向に１歯分だけ回転させて、第二日車５７４により日窓１０４ｇから表示される日文字を「０」から「１」に変える。したがって、上記のような日送りの作動によって、第二日車５７４の第二日文字５７４ｈによって「１」を表示し、第一日車５７２の第一日文字５７２ｈによって「０」を表示して、第二日車５７４および第一日車５７２によって日窓１０４ｇから「１０日」を表示することができる。以下同様にして、本発明のカレンダ機構付き時計の第２の実施の形態においては、このような動作を１０日単位で繰り返して、第二日車５７４および第一日車５７２によって日窓１０４ｇから「０１日」から「３１日」を表示することができる。
【００６２】
（３）第３の実施の形態：
次に、本発明のカレンダ機構付き時計の第３の実施の形態を説明する。以下の説明は、本発明のカレンダ機構付き時計の第３の実施形態が本発明のカレンダ機構付き時計の第１の実施形態と異なる点を主に述べる。したがって、以下に記載がない個所は、前述した本発明のカレンダ機構付き時計の第１の実施形態についての説明をここに準用する。本発明のカレンダ機構付き時計の第３の実施の形態はアナログ電子時計である。
【００６３】
（３・１）ムーブメントの全体構成：
図２３および図２４を参照すると、本発明のカレンダ機構付き時計の第３の実施の形態において、ムーブメント４００はアナログ電子時計で構成される。ムーブメント４００は、ムーブメント４００の基板を構成する地板４０２を含む。文字板４０４がムーブメント４００に取付けられる。巻真４１０が、地板４０２に回転可能に組み込まれる。つづみ４７２が巻真４１０の回転軸線と同一の回転軸線を有するように配置される。時計の動力源を構成する電池４４０が、地板４０２の裏蓋側（表側）に配置される。時計の源振を構成する水晶ユニット６５０が地板４０２の裏蓋側に配置される。例えば、３２，７６８ヘルツで発振する水晶振動子が、水晶ユニット６５０に収容されている。水晶振動子の振動に基づいて基準信号を出力する発振部（オシレータ）と、発振部の出力信号を分周して、ステップモータの動作の制御を行う分周制御部と、分周制御部の出力信号に基づいてステップモータを駆動するモータ駆動信号を出力するモータ駆動部（ドライバ）とが、集積回路（ＩＣ）６５４に内蔵される。集積回路６５４は、例えば、Ｃ−ＭＯＳ又はＰＬＡで構成される。集積回路６５４をＣ−ＭＯＳで構成した場合には、発振部と、分周制御部と、モータ駆動部とは、集積回路６５４に内蔵される。集積回路（ＩＣ）６５４をＰＬＡで構成した場合には、発振部と、分周制御部と、モータ駆動部とは、ＰＬＡに記憶されているプログラムにより動作するように構成される。
【００６４】
水晶ユニット６５０と集積回路６５４とは回路基板６１０に固定される。回路基板６１０と、水晶ユニット６５０と、集積回路６５４とが回路ブロック６１２を構成する。回路ブロック６１２は、地板４０２の裏蓋側に配置される。さらに、本発明のカレンダ付き時計では、必要に応じて、抵抗、コンデンサ、コイル、ダイオードなどの外付け素子を用いることができる。電池マイナス端子６６０は、電池４４０の陰極と、回路基板６１０のマイナスパターンを導通させるために設けられる。電池プラス端子６６２は、電池４４０の陽極と、回路基板６１０のプラスパターンを導通させるために設けられる。磁心に巻いたコイルワイヤを含むコイルブロック６３０と、コイルブロック６３０の磁心の両端部分と接触するように配置されたステータ６３２と、ステータ６３２のロータ穴６３２ｃに配置されたロータ磁石６３４ｂを含むロータ６３４とが、地板４０２の裏蓋側に配置される。コイルブロック６３０と、ステータ６３２と、ロータ６３４とは、ステップモータを構成する。ロータ６３４の回転により、五番車４４１が回転するように構成される。五番車４４１の回転により、四番車４４２が回転するように構成される。四番車４４２の回転により、三番車４４４が回転するように構成される。三番車４４４の回転により、二番車４４６が回転するように構成される。二番車４４６の回転により、日の裏車４４８が回転するように構成される。日の裏車４４８の回転により、筒車４８０が回転するように構成される。
【００６５】
四番車４４２は１分間に１回転するように構成されている。秒針４６０が四番車４４２に取付けられる。二番車４４６は１時間に１回転するように構成される。分針４６２が二番車４４６に取付けられる。スリップ機構が二番車４４６に設けられる。スリップ機構により、針合わせをするときに、秒針４６０を停止させた状態で、巻真４１０を回転させることにより、分針４６２及び時針４６４を回転させることができる。巻真４１０を２段目に引き出して針合わせをするときに、五番車４４１の歯車部を規正して秒針４６０の回転を停止させるために、規正レバー４６８が設けられる。中心パイプ４０２ｃが地板４０２に固定される。中心パイプ４０２ｃは地板４０２の裏蓋側から地板４０２の文字板側に延びる。二番車４４６は、中心パイプ４０２ｃの穴部の中に回転可能に支持される。四番車４４２のそろばん玉は、二番車４４６の穴部の中に回転可能に支持される。
【００６６】
輪列受４５８が、地板４０２の裏蓋側に配置される。ロータ６３４の上軸部、五番車４４１の上軸部、四番車４４２の上軸部、三番車４４４の上軸部、日の裏車４４８の上軸部は、輪列受４５８に回転可能に支持される。ロータ６３４の下軸部、五番車４４１の下軸部、三番車４４４の下軸部、日の裏車４４８の下軸部は、地板４０２に回転可能に支持される。筒車４８０は１２時間に１回転するように構成される。時針４６４が筒車４８０に取付けられる。筒車４８０に取り付けた時針４６４により、１周が１２時間となる「１２時制」で「時」を表示する。日の裏車４４８の日の裏歯車は、小鉄車４４９と噛み合うように配置される。小鉄車４４９は、地板４０２と輪列受４５８との間に配置される。日の裏車４４８の日の裏かな（図示せず）は、地板４０２の文字板側に位置し、筒車４８０の筒歯車と噛み合うように構成される。筒車４８０の穴部は、中心パイプ４０２ｃの軸部分の外周部に回転可能に支持される。
【００６７】
（３・２）第３の実施の形態の作動：
次に、本発明のカレンダ機構付き時計の第３の実施の形態において、通常運針の作動について説明する。図２４および図２５を参照すると、電池４４０が時計の動力源を構成する。水晶ユニット６５０に収容された水晶振動子が、例えば、３２，７６８ヘルツで発振する。この水晶振動子の振動に基づいて、集積回路６５４に内蔵されている発振部が基準信号を出力し、分周制御部が発振部の出力信号を分周する。モータ駆動部が分周制御部の出力信号に基づいて、ステップモータを駆動するモータ駆動信号をコイルブロック６３０に出力する。コイルブロック６３０がモータ駆動信号を入力すると、ステータ６３２が磁化して、ロータ６３４を回転させる。ロータ６３４は、例えば、１秒ごとに１８０度回転する。ロータ６３４の回転に基づいて、五番車４４１の回転を介して四番車４４２が回転する。四番車４４２は１分間に１回転する。四番車４４２に取付けられた秒針４６０により、時刻情報のうちの「秒」を表示する。三番車４４４が四番車４４２の回転に基づいて回転する。
【００６８】
二番車４４６が三番車４４４の回転に基づいて回転する。二番車４４６の代わりに分車を用いてもよい。二番車４４６は１時間に１回転する。二番車４４６に取付けられた分針４６２により、時刻情報のうちの「分」を表示する。スリップ機構が二番車４４６に設けられる。スリップ機構により、針合わせをするときに、規正レバー４６８により五番車４４２の歯車部を規正して秒針４６０を停止させた状態で、巻真４１０を回転させることにより、分針４６２及び時針４６４を回転させることができる。日の裏車４４８が二番車４４６の回転に基づいて回転する。筒車４８０が日の裏車４４８の回転に基づいて回転する。筒車４８０は１２時間に１回転する。筒車４８０に取付けられた時針４６４により、時刻情報のうちの「時」を表示する。
【００６９】
本発明のカレンダ機構付き時計の第３の実施の形態において、カレンダ送りの作用、日修正の作用などは、本発明のカレンダ機構付き時計の第１の実施の形態の作用と同様である。すなわち、筒車４８０が回転することにより、第一日回し中間車５３０、第二日回し中間車５３１の回転を介して日回し車５１０が回転して、日回しつめ５１１は、１日に１回だけ、プログラム車５４０を時計回り方向に１歯分だけ回転させる。プログラム車５４０が回転することによって、第一プログラム歯車５４４は第一日車５１２を反時計回り方向に１歯分だけ回転させて、第一日車５１２により日窓１０４ｇから表示される日文字をに変えることができる。第一プログラム歯車５４４が第一日車５１２を回転させるのと同時に、第二プログラム歯車５４６は第二日車５２２を反時計回り方向に１歯分だけ回転させて、第二日車５２２により日窓１０４ｇから表示される日文字を変えることができる。上記のような日送りの作動は、時針３５６と分針３５２が１２時０分を表示するときに完了する。
【産業上の利用可能性】
【００７０】
本発明を適用すると、小型で薄型で、カレンダ表示が大きくて見やすいカレンダ機構付き時計を得ることができる。
【図面の簡単な説明】
【００７１】
【図１】本発明のカレンダ機構付き時計の第１の実施形態において、ムーブメントを文字板側から見たときの第一日車、第二日車、プログラム歯車の配置と相互関係を示す概略平面図である。
【図２】本発明のカレンダ機構付き時計の第１の実施形態において、第二地板をはずした状態のムーブメントを文字板側から見たときの構造を示す概略平面図である。
【図３】本発明のカレンダ機構付き時計の第１の実施形態において、第一日車、第二日車、プログラム歯車の部分を示す部分断面図である。
【図４】本発明のカレンダ機構付き時計の第１の実施形態において、プログラム歯車、日回し車の部分を示す部分断面図である。
【図５】本発明のカレンダ機構付き時計の第１の実施形態において、ムーブメントを裏蓋側から見たときの構造を示す概略平面図である。
【図６】本発明のカレンダ機構付き時計の第１の実施形態において、てんぷ受、輪列受、自動巻輪列受をはずした状態のムーブメントを裏蓋側から見たときの構造を示す概略平面図である。
【図７】本発明のカレンダ機構付き時計の第１の実施形態において、第一日車を示す平面図である。
【図８】本発明のカレンダ機構付き時計の第１の実施形態において、第二日車を示す平面図である。
【図９】本発明のカレンダ機構付き時計の第１の実施形態において、プログラム歯車を示す平面図である。
【図１０】本発明のカレンダ機構付き時計の第１の実施形態において、第一プログラム歯車を示す平面図である。
【図１１】本発明のカレンダ機構付き時計の第１の実施形態において、第二プログラム歯車を示す平面図である。
【図１２】本発明のカレンダ機構付き時計の第１の実施形態において、駆動機構、表輪列、カレンダ機構などを示すブロック図である。
【図１３】本発明のカレンダ機構付き時計の第１の実施形態において、「２９日」を表示している状態の第一日車、第二日車、プログラム歯車の部分を示す拡大部分平面図である。
【図１４】本発明のカレンダ機構付き時計の第１の実施形態において、「３０日」を表示している状態の第一日車、第二日車、プログラム歯車の部分を示す拡大部分平面図である。
【図１５】本発明のカレンダ機構付き時計の第１の実施形態において、「３１日」を表示している状態の第一日車、第二日車、プログラム歯車の部分を示す拡大部分平面図である。
【図１６】本発明のカレンダ機構付き時計の第１の実施形態において、「０１日」を表示している状態の第一日車、第二日車、プログラム歯車の部分を示す拡大部分平面図である。
【図１７】本発明のカレンダ機構付き時計の第１の実施形態において、文字板の１２時方向に日窓を配置した構成で、「３０日」を表示している状態のコンプリートを示す平面図である。
【図１８】本発明のカレンダ機構付き時計の第２の実施形態において、ムーブメントを文字板側から見たときの第一日車、第二日車、プログラム歯車の配置と相互関係を示す概略平面図である。
【図１９】本発明のカレンダ機構付き時計の第２の実施形態において、「２９日」を表示している状態の第一日車、第二日車、プログラム歯車の部分を示す拡大部分平面図である。
【図２０】本発明のカレンダ機構付き時計の第２の実施形態において、「３０日」を表示している状態の第一日車、第二日車、プログラム歯車の部分を示す拡大部分平面図である。
【図２１】本発明のカレンダ機構付き時計の第２の実施形態において、「３１日」を表示している状態の第一日車、第二日車、プログラム歯車の部分を示す拡大部分平面図である。
【図２２】本発明のカレンダ機構付き時計の第２の実施形態において、「０１日」を表示している状態の第一日車、第二日車、プログラム歯車の部分を示す拡大部分平面図である。
【図２３】本発明のカレンダ機構付き時計の第３の実施形態において、ムーブメントを裏蓋側から見たときの構造を示す概略平面図である。
【図２４】本発明のカレンダ機構付き時計の第３の実施形態において、駆動機構、表輪列、カレンダ機構などを示す部分断面図である。
【図２５】従来の第一タイプのカレンダ機構付き時計において、カレンダ機構の構造を示すブロック図である。
【図２６】従来の第二タイプのカレンダ機構付き時計において、カレンダ機構の構造を示すブロック図である。
【符号の説明】
【００７２】
１００  ムーブメント
１０２  地板
１０４  文字板
３５４  筒車
５１０  日回し車
５１１  日回しつめ
５１２  第一日車
５１４  第一日車ジャンパ
５２２  第二日車
５２４  第二日車ジャンパ
５３０  第一日回し中間車
５３１  第二日回し中間車
５３４  プログラム日車ジャンパ
５４０  プログラム歯車
５４２  プログラム日車
５４４  第一プログラム歯車
５４６  第二プログラム歯車
【図１】
2006177784.tif 000003
【図２】
2006177784.tif 000004
【図３】
2006177784.tif 000005
【図４】
2006177784.tif 000006
【図５】
2006177784.tif 000007
【図６】
2006177784.tif 000008
【図７】
2006177784.tif 000009
【図８】
2006177784.tif 000010
【図９】
2006177784.tif 000011
【図１０】
2006177784.tif 000012
【図１１】
2006177784.tif 000013
【図１２】
2006177784.tif 000014
【図１３】
2006177784.tif 000015
【図１４】
2006177784.tif 000016
【図１５】
2006177784.tif 000017
【図１６】
2006177784.tif 000018
【図１７】
2006177784.tif 000019
【図１８】
2006177784.tif 000020
【図１９】
2006177784.tif 000021
【図２０】
2006177784.tif 000022
【図２１】
2006177784.tif 000023
【図２２】
2006177784.tif 000024
【図２３】
2006177784.tif 000025
【図２４】
2006177784.tif 000026
【図２５】
2006177784.tif 000027
【図２６】
2006177784.tif 000028